(57)【要約】【課題】マット上を歩行又は走行する使用者に対して適度な不安定さを与え、使用者の歩行機能やバランス機能等の回復や増進を図ることができ、かつ、足を上げて歩行することが困難な者も安全に利用できるマットを提供すること。【解決手段】複数の線状溶融樹脂が絡み合い部分的に熱溶着した網状の編成樹脂構造体１Ａからなり、使用者の進行方向に硬領域１０と軟領域２０が交互にそれぞれ複数形成され、硬領域１０の嵩密度が、軟領域２０の嵩密度よりも大きく、硬領域１０の幅Ｖが、軟領域２０の幅Ｗよりも小さく、軟領域２０の幅Ｗが、硬領域１０を挟んで隣り合う一方の軟領域２０と他方の軟領域２０とで異なる歩行訓練又は走行訓練用のマット１とする。【選択図】図１
2020081681.tif 000002
【特許請求の範囲】
【請求項１】
歩行訓練又は走行訓練用のマットであって、
複数の線状溶融樹脂が絡み合い部分的に熱溶着した網状の編成樹脂構造体からなり、
使用者の進行方向に硬領域と軟領域が交互にそれぞれ複数形成され、
前記硬領域の嵩密度は、前記軟領域の嵩密度よりも大きく、
前記硬領域の幅は、前記軟領域の幅よりも小さく、
前記軟領域の幅は、前記硬領域を挟んで隣り合う一方の前記軟領域と他方の前記軟領域とで異なることを特徴とするマット。
【請求項２】
前記軟領域の幅が三通り以上あることを特徴とする請求項１に記載のマット。
【請求項３】
前記硬領域の幅は、前記軟領域を挟んで隣り合う一方の前記硬領域と他方の前記硬領域とで異なることを特徴とする請求項１又は請求項２に記載のマット。
【請求項４】
前記硬領域の幅が三通り以上あることを特徴とする請求項３に記載のマット。
【請求項５】
前記硬領域の嵩密度は、前記軟領域の嵩密度の１．５倍以上３倍以下であることを特徴とする請求項１から請求項４のいずれか一項に記載のマット。
【請求項６】
厚み方向に二つの層が形成された二層構造であり、
編成樹脂の径又は材質が前記層同士で異なることを特徴とする請求項１から請求項５のいずれか一項に記載のマット。
【発明の詳細な説明】
【技術分野】
【０００１】
本発明は、使用者が歩行又は走行することで運動機能の回復や増進等を図るマットに関する。
【背景技術】
【０００２】
従来、運動機能の回復や増進等を目的としたマットが提案されている。
例えば、特許文献１には、マットに形成した複数の部屋に水又は空気を風船状に封入し、穴や管を設けて各部屋間を水又は空気が一部流通するようにしたバランスマットが開示されており、このバランスマット上を歩くと身体のバランスが崩れ、それを回復しようとして全身の筋肉を使うために、短時間で効果的な運動となる旨の記載がある。
また、特許文献２には、歩行面となる上面に、２種類以上の異なった色彩に着色されたターゲット模様又は非ターゲット模様を所定の間隔で複数表示し、同一色のターゲット模様を繋ぐルートと、これを隔てる非ターゲット模様との配置関係による歩行難易度を色彩毎に異なるように配置した転倒予防用エクササイズマットが開示されている。
また、特許文献３には、弾力性のあるマット状の本体の内部に、クッション性と反発性を調整するための空気室を設け、マット上で足踏み運動又は歩行運動をした時に発生する空気圧の変動を圧力センサーで測定するランニングマットが開示されている。
また、特許文献４には、多数の合成重合体連続線条の各々に不規則なループを形成させながら相互に交差させ、さらに厚み方向に湾曲させながら円弧状をなした多数の畝状の山部と山部間が窪んだ溝状の谷部を形成して網状のマット面等を形成し、足裏の刺激機能を備えた床敷きマットが開示されている。
また、特許文献５には、ループ状にランダムに絡まり合い部分的に熱溶着する連続線条から構成されるスプリング構造を備える三次元網状構造体でなり、嵩密度０．０７〜０．４ｇ／ｃｍ3の硬部と、該硬部より嵩密度が低く設定される嵩密度０．０３〜０．２ｇ／ｃｍ3の軟部を備え、硬部の体圧３４６６〜１２５３２Ｐａ、軟部の体圧１９９９９．８〜６６６６．０Ｐａに設定され、硬部が帯状に形成される足踏みマットが開示されている。
【先行技術文献】
【特許文献】
【０００３】
【特許文献１】特開２００４−１３６０５２号公報
【特許文献２】特開２０１４−３６７４０号公報
【特許文献３】特開２００７−６１５８１号公報
【特許文献４】特開平９−３１３４３０号公報
【特許文献５】特開２００７−２２９２８８号公報
【発明の開示】
【発明が解決しようとする課題】
【０００４】
特許文献１のバランスマットは、風船状の瘤が多数形成されるため、その瘤に躓く可能性があり、特に足を高く上げて歩くことが困難な者には利用しにくい。また、マットの縦横に部屋が並んでおり、使用者の進行方向だけでなく、横方向にもバランスが崩れてしまうため、使用者に与える不安定さが大きくなりすぎてしまう。また、マットに水又は空気が封入されているため、マットが一部でも破損すると、水や空気が破損箇所から漏れてバランスマットとしての機能が大きく損なわれてしまう。また、水を封入する場合は、マットの重量が増え、取扱性が悪化してしまう。
また、特許文献２の転倒予防用エクササイズマットは、使用者に不安定さを与えてバランス機能を高めようとするものではない。また、歩行ルートを視認する必要があるため、視覚に障害がある人は利用することができない。
また、特許文献３のランニングマットは、取得した圧力変動のデータから運動の回数や強さを計算して表示することにより、各個人に適した運動を計画的に実施しようとするものであり、使用者に不安定さを与えてバランス機能を高めようとするものではない。
また、特許文献４の床敷きマットは、心地よく歩行できると共に、足踏み健康器具の機能を兼ね備えたマットを提供しようとするものであり、歩行機能やバランス機能の向上を図るものではない。
また、特許文献５の足踏みマットは、足踏み運動により健康を増進しようとするものであり、歩行機能やバランス機能の向上を図るものではない。
【０００５】
そこで本発明は、マット上を歩行又は走行する使用者に対して適度な不安定さを与え、使用者の歩行機能やバランス機能等の回復や増進を図ることができ、かつ、足を上げて歩行することが困難な者も安全に利用できるマットを提供することを目的とする。
【課題を解決するための手段】
【０００６】
請求項１記載の本発明のマットは、歩行訓練又は走行訓練用のマットであって、複数の線状溶融樹脂が絡み合い部分的に熱溶着した網状の編成樹脂構造体１Ａからなり、使用者の進行方向に硬領域１０と軟領域２０が交互にそれぞれ複数形成され、前記硬領域１０の嵩密度は、前記軟領域２０の嵩密度よりも大きく、前記硬領域１０の幅Ｖは、前記軟領域２０の幅Ｗよりも小さく、前記軟領域２０の幅Ｗは、前記硬領域１０を挟んで隣り合う一方の前記軟領域２０と他方の前記軟領域２０とで異なることを特徴とする。
【０００７】
請求項２記載の本発明は、請求項１に記載のマットにおいて、前記軟領域２０の幅Ｗが三通り以上あることを特徴とする。
【０００８】
請求項３記載の本発明は、請求項１又は請求項２に記載のマットにおいて、前記硬領域１０の幅Ｖは、前記軟領域２０を挟んで隣り合う一方の前記硬領域１０と他方の前記硬領域１０とで異なることを特徴とする。
【０００９】
請求項４記載の本発明は、請求項３に記載のマットにおいて、前記硬領域１０の幅が三通り以上あることを特徴とする。
【００１０】
請求項５記載の本発明は、請求項１から請求項４のいずれか一項に記載のマットにおいて、前記硬領域１０の嵩密度は、前記軟領域２０の嵩密度の１．５倍以上３倍以下であることを特徴とする。
【００１１】
請求項６記載の本発明は、請求項１から請求項５のいずれか一項に記載のマットにおいて、厚み方向に二つの層が形成された二層構造であり、編成樹脂の径又は材質が前記層同士で異なることを特徴とする。
【発明の効果】
【００１２】
本発明によれば、硬く狭い硬領域と、柔く広い軟領域が交互に形成され、さらに軟領域の幅が不定であることで、マット上を歩行又は走行する使用者に対して適度な不安定さを与え、使用者の歩行機能やバランス機能等の回復や増進を図ることができる。また、マット表面を平坦に形成することが可能なので、摺り足の使用者も安全に利用できる。
【図面の簡単な説明】
【００１３】
【図１】本発明一実施例によるマットの構成を示す図
【図２】本発明の他の実施例によるマットの構成を示す図
【図３】本発明の更に他の実施例によるマットの構成を示す図
【図４】本発明のマットの製造装置の概要図
【図５】同製造装置の線状化部の底面を示す図
【図６】本発明のマットの一部の参考上面斜視写真
【発明を実施するための形態】
【００１４】
本発明の第１の実施形態によるマットは、歩行訓練又は走行訓練用のマットであって、複数の線状溶融樹脂が絡み合い部分的に熱溶着した網状の編成樹脂構造体からなり、使用者の進行方向に硬領域と軟領域が交互にそれぞれ複数形成され、硬領域の嵩密度は、軟領域の嵩密度よりも大きく、硬領域の幅は、軟領域の幅よりも小さく、軟領域の幅は、硬領域を挟んで隣り合う一方の軟領域と他方の軟領域とで異なるものである。
本実施形態によれば、硬く狭い硬領域と、柔く広い軟領域が進行方向に向けて交互に形成され、さらに軟領域の幅が不定であることで、マット上を歩行又は走行する使用者に対して適度な不安定さを与え、使用者の歩行機能やバランス機能等の回復や増進を図ることができる。また、マット表面を平坦に形成することが可能なので、摺り足でしか歩けない者や、僅かしか足を上げて歩くことが困難な者であっても安全に利用できる。
【００１５】
本発明の第２の実施形態は、第１の実施形態によるマットにおいて、軟領域の幅が三通り以上あるものである。
本実施形態によれば、幅のパターンを増やすことで、マット上を歩く使用者に対して足場の硬さがより一層ランダムに変化する感覚を与えて不安定さを大きくすることができる。
【００１６】
本発明の第３の実施形態は、第１又は第２の実施形態によるマットにおいて、硬領域の幅は、軟領域を挟んで隣り合う一方の硬領域と他方の硬領域とで異なるものである。
本実施形態によれば、マット上を歩く使用者に対して足場の硬さがより一層ランダムに変化する感覚を与えて不安定さを大きくすることができる。
【００１７】
本発明の第４の実施形態は、第３の実施形態によるマットにおいて、硬領域の幅が三通り以上あるものである。
本実施形態によれば、幅のパターンを増やすことで、マット上を歩く使用者に対して足場の硬さがより一層ランダムに変化する感覚を与えて不安定さを大きくすることができる。
【００１８】
本発明の第５の実施形態は、第１から第４のいずれか一つの実施形態によるマットにおいて、硬領域の嵩密度は、軟領域の嵩密度の１．５倍以上３倍以下であるものである。
本実施形態によれば、より適度な不安定さを使用者に与えることができる。
【００１９】
本発明の第６の実施形態は、第１から第５のいずれか一つの実施形態によるマットにおいて、厚み方向に二つの層が形成された二層構造であり、編成樹脂の径又は材質が層同士で異なるものである。
本実施形態によれば、一方の層を上にする場合と、他方の層を上にする場合とで不安定さが変わるため、使用者は、自らの状態等に応じて上にする層を使い分けることができる。また、一層の場合とは異なる不安定さを使用者に与えることができる。
【実施例】
【００２０】
以下、本発明の実施例について図面を用いて説明する。
図１は、本発明の一実施例によるマットの構成を示す図であり、図１（ａ）は上面図、図１（ｂ）は正面図である。
直方体のマット１は、複数の線状溶融樹脂が絡み合い部分的に熱溶着した網状の編成樹脂構造体からなる。マット１の縦長さＸ及び横長さＹは、使用場所等に応じて設定する。使用者は、縦長のマット１上を、一端Ｐから他端Ｑに向けて、又は他端Ｑから一端Ｐに向けて、歩行又は走行する。
【００２１】
マット１は、複数の硬領域１０と、複数の軟領域２０を有する。硬領域１０と軟領域２０は、一端Ｐから他端Ｑにかけて、使用者が歩行又は走行する方向に交互に形成されている。硬領域１０及び軟領域２０は、上面視で矩形である。
硬領域１０は、嵩密度を軟領域２０の嵩密度よりも大きくすることにより、軟領域２０よりも硬くしている。また、硬領域１０の幅Ｖは、軟領域２０の幅Ｗよりも小さくしている。また、硬領域１０の幅Ｖは、硬領域１０同士において差は無く一定としている（例えば６ｃｍ）。一方で、軟領域２０は、硬領域１０を挟んで隣り合う一方の軟領域２０と他方の軟領域２０とで幅Ｗを異ならせている。
このように、マット１に、硬く狭い硬領域１０と、硬領域１０よりも柔く広い軟領域２０を進行方向に向けて交互にそれぞれ複数形成し、さらに軟領域２０の幅Ｗを不定にしてマット１上を歩く使用者に対して足場の硬さがランダムに変化する感覚を与えて軟領域２０の幅Ｗが一定の場合よりも不安定さを大きくすることで、マット１上を歩行又は走行する使用者に対して適度な不安定さを与えることができる。不安定な場所を歩行等する使用者は、まっすぐ進もうとして自然にバランスを取るため、筋力やバランス感覚等が鍛えられる。これにより、使用者の歩行機能やバランス機能等の回復や増進を図ることができる。また、マット１は、表面を平坦に形成可能なので、摺り足でしか歩けない者や、僅かしか足を上げて歩くことが困難な者であっても安全に利用できる。また、マット１における硬さの変化は使用者の進行方向のみとし、使用者の横方向（進行方向と直交する方向）には硬さを変化させないことで、使用者に必要以上の不安定さを与えないようにしている。また、硬領域１０及び軟領域２０は反発力を有するため、筋力の少ない高齢者等であってもスムーズに足を上げることができる。
【００２２】
マット１の厚みＺは、３ｃｍ以上５ｃｍ以下とすることが好ましい。厚みＺが３ｃｍ未満の場合は、踏んだ時の床への底付き感が大きいため使用者に与える不安定さが不足する。また、厚みＺが大きいほど使用者に不安定さを与えやすくなるが、５ｃｍを越えると、使用者がマット１への昇降時に床との段差で躓いたり、マット１から足を踏み外した場合に怪我をしたりする可能性がある。なお、一端Ｐ及び他端Ｑに緩やかな傾斜を設け、使用者にマット１への昇降を一端Ｐ又は他端Ｑ側から行わせることで、昇降時の使用者の躓きを防止してもよい。
【００２３】
硬領域１０の嵩密度は、０．１５ｇ／ｃｍ３以上０．２０ｇ／ｃｍ３以下の範囲で、軟領域２０の嵩密度の１．５倍以上３倍以下とすることが好ましい。これにより、より適度な不安定さを使用者に与えることができる。なお、硬領域１０同士間、又は軟領域２０同士間で位置ごとに嵩密度を異ならせてもよい。
また、硬領域１０の幅Ｖ、及び軟領域２０の幅Ｗは、使用者の足の大きさよりも小さいことが好ましい。これにより、使用者の足が硬領域１０と軟領域２０の両方を同時に踏みやすくなり、使用者に与える不安定さを大きくすることができる。例えば、日本人の大人の足の大きさの平均は、女性で２３ｃｍ前後、男性で２６ｃｍ前後なので、マット１の主な使用者が日本人の大人である場合は、硬領域１０及び軟領域２０を２２ｃｍ以下とする。
また、硬領域１０は、幅Ｖを３ｃｍ以上７ｃｍ以下とすることがより好ましい。これにより使用者は、硬領域１０を踏んだ時に足裏への刺激を受けやすくなり、いわゆる青竹踏み効果を高めることができる。
【００２４】
軟領域２０の幅Ｗは、三通り以上あることが好ましい。幅Ｗのパターンが増えることで、マット１上を歩く使用者に対して足場の硬さがより一層ランダムに変化する感覚を与えて不安定さを大きくすることができる。図１に示すマット１では、軟領域２０の幅Ｗを七通りとしている。七通りの幅Ｗを例えば、「９ｃｍ」、「１１ｃｍ」、「１３ｃｍ」、「１５ｃｍ」、「１７ｃｍ」、「１９ｃｍ」、「２１ｃｍ」とすると、一端Ｐから他端Ｑにかけて１５ｃｍ→１１ｃｍ→１９ｃｍ→１３ｃｍ→２１ｃｍ→９ｃｍ→１７ｃｍの順に幅Ｗを変えて軟領域２０が配置されている。なお、幅Ｗは、１７ｃｍの後は再度１５ｃｍとなり、以降同様のサイクルが繰り返される。
【００２５】
図２は、本発明の他の実施例によるマットの構成を示す図であり、図２（ａ）は上面図、図２（ｂ）は正面図である。なお、上記した実施例と同一機能部には同一符号を付して説明を省略する。
本実施例によるマット１００は、軟領域２０をマット１と同様にして硬領域１０を挟んで隣り合う一方の軟領域２０と他方の軟領域２０とで幅Ｗを異ならせ、さらに、硬領域１０も、軟領域２０を挟んで隣り合う一方の硬領域１０と他方の硬領域１０とで幅Ｖを異ならせている。このように硬領域１０の幅Ｖ及び軟領域２０の幅Ｗを不定にすることで、マット１００上を歩く使用者に対して足場の硬さがより一層ランダムに変化する感覚を与えて不安定さを大きくすることができる。
硬領域１０の幅Ｖは、三通り以上あることが好ましい。幅Ｖのパターンが増えることで、マット１００上を歩く使用者に対して足場の硬さがより一層ランダムに変化する感覚を与えて不安定さを大きくすることができる。図２に示すマット１００では、硬領域１０の幅Ｖを五通りとしている。五通りの幅Ｖを例えば、「３ｃｍ」、「４ｃｍ」、「５ｃｍ」、「６ｃｍ」、「７ｃｍ」とすると、一端Ｐから他端Ｑにかけて５ｃｍ→３ｃｍ→６ｃｍ→４ｃｍ→７ｃｍの順に幅Ｖを変えて硬領域１０が配置されている。なお、幅Ｖは、７ｃｍの後は再度５ｃｍとなり、以降同様のサイクルが繰り返される。
【００２６】
図３は、本発明の更に他の実施例によるマットの構成を示す図であり、図３（ａ）は上面図、図３（ｂ）は背面図、図３（ｃ）は正面図である。なお、上記した実施例と同一機能部には同一符号を付して説明を省略する。
本実施例によるマット２００は、厚み方向に二つの層が形成された二層構造である。一方の層２００Ａと他方の層２００Ｂとでは、編成樹脂の径又は材質が異なっており、それにより両者の反発力も異なったものになっている。これにより、一方の層２００Ａを上にした場合と、他方の層２００Ｂを上にした場合とで歩行等の際の不安定さが変わるため、使用者は、自らの状態等に応じて上にする層を使い分けることができる。また、厚みＺが一層の場合と同じであっても、二層にすることで、一層の場合とは異なる不安定さを使用者に与えることができる。
また、一方の層２００Ａの厚みＺ１と他方の層２００Ｂの厚みＺ２は、同じである必要はない。それぞれの厚みを変更することで、使用者に与える不安定さを調整することができる。
【００２７】
図４は本発明のマットの製造装置の概要図、図５は同製造装置の線状化部の底面を示す図、図６は本発明のマットの一部の参考上面斜視写真である。
製造装置３０は、溶融樹脂を線状にして流し落とし、線状となった溶融樹脂の集合体を液体に浸漬して冷却することで、多数の樹脂が無秩序に絡まり合い部分的に熱溶着した網状の三次元構造を有した編成樹脂構造体１Ａを連続的に形成する。
【００２８】
製造装置３０は、溶融樹脂を供給する供給部３１と、溶融樹脂を線状にする線状化部３２と、線状となった溶融樹脂を冷却する冷却用液体が貯留された冷却槽３３と、線状化部３２から冷却槽３３へ向けて流れ落ちる線状の溶融樹脂の集合体が通過するガイダー部３４と、集合体が冷却用液体で冷却されることにより形成された編成樹脂構造体１Ａを冷却槽３３の底面側に引き込む引込部３５と、編成樹脂構造体１Ａを冷却槽３３の外へ送り出す送出部３６と、引込部３５の引き込み速度を制御する速度制御部３７を備える。
【００２９】
供給部３１は、熱可塑性樹脂を所定温度で溶融混練して溶融樹脂とし、所定の押し出し速度で溶融樹脂を押し出して線状化部３２に供給する。
熱可塑性樹脂としては、例えば、ポリエチレン、ポリプロピレン、ポリ塩化ビニル、ポリスチレン、ポリ酢酸ビニル、ポリテトラフルオロエチレン、アクリロニトリルブタジエンスチレン樹脂などを、単独で又は複数混合したものが用いられる。
供給部３１は、第一の樹脂を供給する第一樹脂供給部３１Ａと、第二の樹脂を供給する第二樹脂供給部３１Ｂを有する。編成樹脂構造体１Ａを、図３に示すような二層構造とする場合には、第一樹脂供給部３１Ａと第二樹脂供給部３１Ｂとで、供給する樹脂の径又は材質を異ならせる。
【００３０】
線状化部３２は、供給部３１から押し出された溶融樹脂を受け入れる受入口を上部に備え、受け入れた溶融樹脂を流出させる流出口を底面に備える。流出口には、複数の小孔３２Ａが矩形状に配置されている。供給部３１から供給された溶融樹脂は小孔３２Ａから流出することで線状となる。
図５に示すように、線状化部３２の内部は、第一樹脂供給部３１Ａから供給された樹脂が入る第一区画３２Ｃと、第二樹脂供給部３１Ｂから供給された樹脂が入る第二区画３２Ｄとに、仕切板３２Ｂによって区画されている。図５では、隣接する層同士の樹脂の径が異なる二層構造の編成樹脂構造体１Ａを形成するため、第一区画３２Ｃと第二区画３２Ｄとで、小孔３２Ａの径を異ならせている。
各小孔３２Ａから流出した線状溶融樹脂は、略矩形状の集合体となって冷却槽３３へ向けて流れ落ちる。
【００３１】
図４に示すように、ガイダー部３４は、線状化部３２と冷却槽３３との間に配置されている。ガイダー部３４は、集合体を厚み方向に圧縮しながら冷却槽３３に導く。
ガイダー部３４は、集合体のうち編成樹脂構造体１Ａの一方の面となる部分と接触する位置に配置された第一傾斜板３４Ａと、編成樹脂構造体１Ａの他方の面となる部分と接触する位置に配置された第二傾斜板３４Ｂを有する。集合体は、第一傾斜板３４Ａと第二傾斜板３４Ｂの間を通過する。
第一傾斜板３４Ａと第二傾斜板３４Ｂは向かい合わせに配置されており、両者の間隔は上方から下方にかけて徐々に狭くなっている。上方の間隔は、ガイダー部３４に至る前の集合体の厚みよりも大きく、下方の間隔は、ガイダー部３４に至る前の集合体の厚みよりも小さい。よって、集合体は、第一傾斜板３４Ａと第二傾斜板３４Ｂの間を通過した後は、通過前よりも厚みが小さくなる。
また、集合体のうち、第一傾斜板４１又は第二傾斜板３４Ｂとの接触により圧縮されながらガイダー部３４を通過した部分は、その接触によって表面が均されて冷却槽３３へ流入し、第一傾斜板４１又は第二傾斜板４２と接触せずにガイダー部３４を通過した部分は、表面が均されることなくそのまま冷却槽３３へ流入する。これにより、集合体が冷却槽３３内の液体で冷却されることにより形成された編成樹脂構造体１Ａは、上面及び下面（一方の面及び他方の面）が平坦な表面状態となる。
【００３２】
冷却槽３３内には、引込部３５及び送出部３６が配置されている。
引込部３５は、ガイダー部３４を通過した集合体が冷却槽３３に流れ落ちる位置に配置されている。引込部３５は、編成樹脂構造体１Ａの一方の面と接触する一方の回転体３５Ａと、編成樹脂構造体１Ａの他方の面と接触する他方の回転体３５Ｂとからなる一対の回転体を鉛直方向に複数有する。一方の回転体３５Ａ及び他方の回転体３５Ｂは円柱状のローラーであり、長手方向が水平となるように配置されている。一方の回転体３５Ａと他方の回転体３５Ｂとの間隔は、ガイダー部３４を通過した集合体の厚みと略同一である。
回転体の回転速度は、速度制御部３７によって制御される。速度制御部３７は、回転体の回転速度を、所定時間毎に、第一速度と、第一速度よりも速い第二速度に交互に切り替える。編成樹脂構造体１Ａのうち、相対的に速度が遅い第一速度で回転する回転体に引き込まれた部分は嵩密度が大きい硬領域１０となり、相対的に速度が速い第二速度で回転する回転体に引き込まれた部分は嵩密度が小さい軟領域２０となる。このように回転体の回転速度を所定時間毎に変更することで、編成樹脂構造体１Ａは疎密構造となり、硬領域１０と軟領域２０を交互に形成することができる。なお、回転速度を切り替える所定時間は、硬領域１０の幅Ｖ、及び軟領域２０の幅Ｗの設定値に応じて調整する。
【００３３】
送出部３６は、傾斜コンベア３６Ａを有する。傾斜コンベア３６Ａの下端は引込部３５よりも下方に位置する。冷却槽３３の底面側に引き込まれた編成樹脂構造体１Ａは、傾斜コンベア３６Ａによって斜め上方に引き揚げられて冷却槽３３の外へと送出される。なお、傾斜コンベア３６Ａの代わりにローラー等の回転体を用いて編成樹脂構造体１Ａを引き揚げて冷却槽３３の外へ送出することもできる。
【００３４】
冷却槽３３の外へ送出された編成樹脂構造体１Ａは、所定の寸法に裁断処理され、マット１，１００，２００となる。図６に示すように、マットの上面には横倒しになった編成樹脂が現れる。なお、マットの下面も同様である。
【産業上の利用可能性】
【００３５】
本発明によるマットは、歩行機能及びバランス機能の回復や増進を図ることができ、かつ転倒の危険性が少ないため、歩行リハビリや乳幼児の発育トレーニング等に活用することができる。
【符号の説明】
【００３６】
１  マット
１Ａ  編成樹脂構造体
１０  硬領域
２０  軟領域
１００  マット
２００  マット
２００Ａ  一方の層
２００Ｂ  他方の層
Ｖ  硬領域の幅
Ｗ  軟領域の幅
【図１】
2020081681.tif 000003
【図２】
2020081681.tif 000004
【図３】
2020081681.tif 000005
【図４】
2020081681.tif 000006
【図５】
2020081681.tif 000007
【図６】
2020081681.tif 000008